(57)【特許請求の範囲】
【請求項１】
電磁ビームを生成するための放射線源（４）とこの放射線源（４）のキャリア（１）とこの放射線源（４）の電気接続要素（４４，４６）とを有する位置検出器の走査組立品であって、
前記位置検出器の目盛本体（５０）が、前記電磁ビームによって走査可能であり、
前記放射線源（４）が、前記キャリア（１）に対して固定可能であり、前記放射線源（４）に電気接続させるための電気導体要素（３）が、このキャリア（１）に存在し、
前記キャリア（１）は、電気絶縁材料から成る本体（２）を有し、前記電気導体要素（３）が、複数のランドパターン（３４，３６）としてこの本体（２）上に延在し、
前記放射線源（４）が、前記電気接続要素（４４，４６）を通じて前記キャリア（１）の前記複数のランドパターン（３４，３６）に電気接触している当該走査組立品において、
前記放射線源（４）が、それぞれの前記複数のランドパターン（３４，３６）に電気接触している、調整軌道（Ｂ）に沿った異なる位置で、この放射線源（４）を前記キャリア（１）に配置できるようにするため、前記キャリア（１）の前記複数のランドパターン（３４，３６）と前記放射線源（４）の前記電気接続要素（４４，４６）とが、導通部分を形成し、前記放射線源（４）を前記キャリア（１）に固定する前に、この放射線源（４）が、この放射線源（４）と前記複数のランドパターン（３４，３６）との間の電気接触を維持しながら前記調整軌道（Ｂ）に沿って前記キャリア（１）に対して前記導通部分に接して移動可能であること、及び
前記放射線源（４）の少なくとも１つの接続要素（４４，４６）が、この放射線源（４）から突出している接続ピンによって形成されていることを特徴とする走査組立品。
【請求項２】
前記導通部分は、前記調整軌道（Ｂ）に沿って延在する２つのランドパターン（３４，３６）とこれに割り当てられた電気接続要素（４４，４６）とを有することを特徴とする請求項１に記載の走査組立品。
【請求項３】
前記導通部分は、前記放射線源（４）を直線状に誘導して移動させるために形成されていることを特徴とする請求項１又は２に記載の走査組立品。
【請求項４】
前記放射線源（４）の少なくとも１つの結合要素（４４′）が、この放射線源（４）のケース（４０）に形成されていることを特徴とする請求項１〜３のいずれか１項に記載の走査組立品。
【請求項５】
前記キャリア（１）は、スリット付きの収容部（２２）を有し、前記放射線源（４）が、この収容部（２２）に配置されていて且つ前記調整軌道（Ｂ）に沿って移動可能であることを特徴とする請求項１〜４のいずれか１項に記載の走査組立品。
【請求項６】
前記放射線源（４）を前記キャリア（１）に対して固定するため、前記接続要素（４４，４６）が、前記キャリア側の前記複数のランドパターン（３４，３６）に材料結合されていることを特徴とする請求項１〜５のいずれか１項に記載の走査組立品。
【請求項７】
前記放射線源（４）から放射された電磁ビームをコリメートするため、レンズ（６）が、前記放射線源（４）に割り当てられていること、及び、放射線源（４）とレンズ（６）との間の、当該コリメートに必要な距離が、前記放射線源（４）を前記キャリア（１）に対して前記調整軌道（Ｂ）に沿って移動させることによって調整可能であることを特徴とする請求項１〜６のいずれか１項に記載の走査組立品。
【発明の詳細な説明】
【技術分野】
【０００１】
本発明は、請求項１の上位概念に記載の位置検出器、例えばリニアエンコーダの走査組立品に関する。
【背景技術】
【０００２】
このような走査組立品は、例えば発光ダイオード（ＬＥＤ）としての電磁ビームを生成するための放射線源とこの放射線源のキャリアとを有する。位置検出器の目盛本体、例えば測定方向（長手方向）に延在し、測定目盛を有するスケールが、当該放射線源によって走査可能である。この放射線源が、当該キャリアに対して固定可能であり、この放射線源を電気接触させるための導電要素が、このキャリアにある。すなわち、放射線源をキャリアに対して固定することによって、この放射線源が、一方では走査組立品内に組み込まれ、この走査組立品内に固定され、他方では電気接続される。その結果、この放射線源が、電磁ビームを生成するために通電可能である。このため、この放射線源が、電気接続要素を有する。放射線源が、キャリアに対して規定通りに固定されているときに、この放射線源が、当該電気接続要素を通じてこのキャリアの導体要素に電気接触している。
【０００３】
一般に、このような走査組立品は、いわゆる走査ヘッドとして形成されている。この走査ヘッドは、位置検出器の付随する測定目盛を（光電式に）走査することによって高精度の位置測定を可能にする。
【０００４】
この場合、走査すべき測定目盛が、例えばいわゆるリニアエンコーダを長手方向に延在したスケールに沿って形成するために設けられてもよいし又は角度エンコーダを目盛板上又はドラムの内周若しくは外周上の円軌道に沿って形成するために延在してもよい。さらに、走査組立品によって走査すべき測定目盛が、インクリメンタル目盛としてもアブソリュートコードとしても構成され得る。
【０００５】
冒頭で述べた種類の走査組立品を走査ヘッド又はセンサヘッドとして有するエンコーダが、ドイツ連邦共和国特許出願公開第１９８４３１５５号明細書から公知である。このヘッドは、樹脂成形ブロックとしてのキャリアを有するＭＩＤ部品（射出成形回路部品）として形成されている。このキャリアは、導電性のフィルムで被覆されている。当該樹脂成形ブロック上に３次元的に延在する接続導体が存在するように、この樹脂成形ブロックが構造化された。ＬＥＤが、この樹脂成形ブロックの開口部内に埋設されている。このＬＥＤは、走査ヘッド又はセンサヘッドに割り当てられたスケールを光電式に走査するために使用される。また、このＬＥＤは、電気接続要素を通じて樹脂成形ブロックの表面上の接続導体に接続されている。
【０００６】
例えばＬＥＤとしてのこのような放射線源から放射された光が、レンズによって整然とコリメートされ、当該光が走査すべき測定目盛上に照射する前に、その次に平行な光束として走査板を透過する。放射線源から放射された光を正確にコリメートするためには、この放射線源と当該コリメートのために使用されたレンズ（コンデンサーレンズ）との間の距離を正確に調整することが重要である。
【先行技術文献】
【特許文献】
【０００７】
【特許文献１】ドイツ連邦共和国特許出願公開第１９８４３１５５号明細書
【発明の概要】
【発明が解決しようとする課題】
【０００８】
本発明の課題は、付随するキャリアに対する放射線源の所定の位置決めを簡単な手段によって可能にする、冒頭で述べた種類の走査組立品を提供することにある。
【課題を解決するための手段】
【０００９】
この課題は、本発明にしたがって請求項１に記載の：
電磁ビームを生成するための放射線源（４）とこの放射線源（４）のキャリア（１）とこの放射線源（４）の電気接続要素（４４，４６）とを有する位置検出器の走査組立品であって、
前記位置検出器の目盛本体（５０）が、前記電磁ビームによって走査可能であり、
前記放射線源（４）が、前記キャリア（１）に対して固定可能であり、前記放射線源（４）に電気接続させるための電気導体要素（３）が、このキャリア（１）に存在し、
前記キャリア（１）は、電気絶縁材料から成る本体（２）を有し、前記電気導体要素（３）が、複数のランドパターン（３４，３６）としてこの本体（２）上に延在し、
前記放射線源（４）が、前記電気接続要素（４４，４６）を通じて前記キャリア（１）の前記複数のランドパターン（３４，３６）に電気接触している当該走査組立品において、
前記放射線源（４）が、それぞれの前記複数のランドパターン（３４，３６）に電気接触している、調整軌道（Ｂ）に沿った異なる位置で、この放射線源（４）を前記キャリア（１）に配置できるようにするため、前記キャリア（１）の前記複数のランドパターン（３４，３６）と前記放射線源（４）の前記電気接続要素（４４，４６）とが、導通部分を形成し、前記放射線源（４）を前記キャリア（１）に固定する前に、この放射線源（４）が、この放射線源（４）と前記複数のランドパターン（３４，３６）との間の電気接触を維持しながら前記調整軌道（Ｂ）に沿って前記キャリア（１）に対して前記導通部分に接して移動可能であること、及び
前記放射線源（４）の少なくとも１つの接続要素（４４，４６）が、この放射線源（４）から突出している接続ピンによって形成されていることによって解決される。
【００１０】
当該走査組立品によれば、キャリアに対する放射線源を調整軌道に沿って異なる位置（放射線源が、当該異なる位置でキャリアのそれぞれの導体要素に電気接触している、すなわち光を発生させるためにそれぞれに通電可能である）に配置できるようにするため、このキャリアに設けられている導体要素と放射線源に付設された接続要素とが、導通部分を形成する。放射線源をキャリアに対して固定する前に、この放射線源が、（この放射線源とキャリア側の当該導体要素との間の電気接触を維持しながら）当該調整軌道に沿ってこのキャリアに対して当該導通部分にわたって摺動可能である。
【００１１】
これによって、放射線源が、付設されたレンズ及び／又は操作板に対して所定の距離を保つように、この放射線源が、キャリアに対して適切に位置決めされ得る。この場合、この放射線源が、その都度調整された位置で電気接触されていて、したがって適切な位置に固定さるたびにその直後に使用される状態にある。
【００１２】
この場合、調整軌道に沿った放射線源の導通は、キャリア側の電気導体要素と放射線源側の電気接続要素とによって形成された導通部分だけを用いて実施する必要は全然ない。むしろ、放射線源のケースが、キャリアの対応する収容部内で画定されて調整軌道に沿って可動に付設されていることによって、１つの導通装置が（追加されて）形成されてもよい。このような場合には、導体要素と接続要素とによって形成された（電気）導通部分の機能が、場合によっては、（キャリアの収容部によって提供される）調整軌道に沿った放射線源の移動中に、放射線源とキャリア側の導体要素との間の電気接触を維持することだけに限定されうる。
【００１３】
本発明の或る実施の形態によれば、導体要素と付随する接続要素とによって形成された導通部分が、調整軌道に沿って延在する少なくとも１つのランドパターンと付随する１つの電気結合要素とを有する。放射線源をキャリアに対する異なる相対位置でその都度電気接触可能にするため、当該ランドパターンと電気結合要素とは、その調整軌道に沿って互いに可動であり、このときに互いに電気接触している。この場合、特に２つのランドパターンが設けられ得る。１つの放射線源が、通常少なくとも２つの電気端子を有するので、１つの接続要素が、これらのランドパターンごとに割り当てられている。
【００１４】
この場合、それぞれのランドパターンが、電気導体要素としてキャリアに対して設けられ得る一方で、付随するそれぞれの接続要素が、電気接続要素として放射線源に対して配置される。
【００１５】
少なくとも１つの導体要素及び／又は付随する接続要素が、直線状に延在することによって、導通部分が、放射線源を直線状に誘導して移動させるために形成され得る。
【００１６】
放射線源側の接続要素が、放射線源から突出している接続ピンによって形成されてもよいし又は別の方式では例えば放射線源のケースの面に沿って延在する結合要素として形成されてもよい。
【００１７】
キャリア側の導体要素と放射線源側の付随する接続要素との具体的な実施の形態を図面に基づいてさらに説明する。
【００１８】
放射線源がキャリア側の複数の導体要素にそれぞれ電気接触している、キャリアの異なる複数の位置で、この放射線源を固定できるようにするためには、例えば、はんだ付け、特にレーザーはんだ付け若しくは接着又はその他の材料結合（接着接合）される結合方法のような、凹凸（段差）の発生なしに又は小さい凹凸（段差）の発生だけで（ほぼ）任意の相対位置で使用され得る結合方法が特に適している。
【００１９】
この場合、放射線源とキャリアとの間の接続は、一方ではキャリア側の導体要素と付随する電気接続要素との間で実施され、及び／又は、他方では放射線源のケースとキャリア側の付随する収容部との間で実施される。前者の場合では、例えば導電性の接着剤のような導電性の結合剤の使用が有効である。
【００２０】
複数の電気ランドパターンが、特にキャリアの本体上に被覆されたフィルムとして電気絶縁材料から成るキャリアの本体上に延在することによって、走査組立品は、特にいわゆるＭＩＤ部品（射出成形回路部品）として形成され得る。これらの電気ランドパターンは、キャリア上に配置された、例えば放射線源のような電気構成要素に電気接触するために使用される。
【００２１】
射出成形回路部品の場合、選択的に、電気導体要素が、射出成形技術で製造された、例えば合成樹脂から成るキャリアに施されている。これらの電気導体要素が、公知の製造工程にしたがって、例えば印刷技術、ホットスタンピング技術、ＬＳＡ技術、立体回路形成技術及び２成分射出成形法によって被覆され得る。
【００２２】
導体要素が、キャリア上に無電解で析出される場合、これらの導体要素が、さらなる方法ステップ中に電解析出工程によって強化され得る。
【００２３】
本発明のさらなる詳細及び利点が、図面に基づく実施の形態の以下の説明に明記されている。
【図面の簡単な説明】
【００２４】
【図１Ａ】本発明にしたがって構成された走査組立品によるスケールと走査ヘッドとを有するリニアエンコーダを示す。
【図１Ｂ】図１ＡのリニアエンコーダのＡ−Ａに沿った横断面を示す。
【図２Ａ】キャリア上に配置すべき電気素子に接触させるためのランドパターンを有する走査組立品のキャリアを示す。
【図２Ｂ】図２Ａのキャリアをこのキャリア上に配置され且つ電気接触された放射線源と一緒に示す。
【図３】図２Ａのキャリアの第１別形態を示す。
【図４Ａ】図２Ａのキャリアの第２別形態を示す。
【図４Ｂ】図４Ａのキャリアをこのキャリア上に配置され且つ電気接触された放射線源と一緒に示す。
【図４Ｃ】回路基板の上に配置された図４Ｂの走査組立品を示す。
【発明を実施するための形態】
【００２５】
図１Ａは、走査ヘッド１０とこれによって走査されるスケール５の測定目盛５０（目盛本体）とを有するリニアエンコーダとしての位置検出器の投影図である。図１Ｂは、走査ヘッド１０とこれによって走査されるスケール５の測定目盛５０（目盛本体）とを有するリニアエンコーダとしての位置検出器の断面図Ａ−Ａである。このリニアエンコーダが、測定方向Ｘに相対移動する２つの測定物体の位置を測定するために使用される。この場合、走査ヘッド１０が、これらの測定物体のうちの一方の測定物体に固定され、スケール５が、これらの測定物体のうちの他方の測定物体に固定される。走査ヘッド１０の構造をより良好に示すため、この図１Ａでは、ハウジング９の下の部分だけが示されている。この走査ヘッド１０が、走査組立品１１を有する。この走査組立品１１には、キャリア１に対して位置決めされ且つ機械式に固定され且つ電気接触した放射線源４を有する当該キャリア１がある。以下に、この走査組立品１１の好適な詳細及び可能な構成をさらなる図２Ａ〜４Ｃに基づいて詳しく説明する。
【００２６】
放射線源４が、電磁ビームを光ビームとして放射する。測定目盛５０が、この電磁ビームによって走査可能である。光ビームＬの進路が、図１Ｂ中に示されている。位置測定時に放射線源４から放射された光が、レンズ６に達する。このレンズ６が、当該光を加工し、例えばコリメートし、さらに測定目盛５０に指向させる。当該光ビームＬが、走査ヘッド１０とスケール５との間の相対位置に応じて測定目盛５０によって変調され、最終的には位置に依存する電気走査信号を生成するための検出装置７に到達する。当該電気走査信号が、電線８を通じて後続する電子装置に伝達され得る。
【００２７】
次いで、走査組立品１１の３つの異なる実施の形態を図２Ａ〜４Ｃに基づいて示す。この走査組立品１１は、図１Ａ及び１Ｂ中に概略的に示された走査ヘッド１０を構成するために使用される、つまり特に、走査ヘッド１０の、放射線源４を収容して通電するために役立つ構成要素を構成するために使用される。付設されたスケール５を走査するために使用された電磁ビームが、この放射線源４によって生成される。
【００２８】
図２Ａは、このような走査組立品のキャリア１を示す。このキャリア１は、電気絶縁材料、例えば合成樹脂から成る本体２を有する。（金属製の）ランドパターン３としての（導電性の）多数の導体要素が、この本体２上に析出されている。ＭＩＤ技術で知られた方法により、例えば、導電性フィルムを本体２に被覆することによって、場合によってはフィルムを本体２に形成することによって、導体要素が、この本体２に施され得る。例えば、銅、錫、鉛又は金が、導体要素（ランドパターン３）用の材料として適する。
【００２９】
キャリア１の本体２が、キャリア領域２０を有する。収容部２２が、このキャリア領域２０から突出している。この収容部２２が、放射線源４用の収容空間２３を画定する（図２Ｂ参照）。この実施の形態では中空円筒状に形成されている収容部２２が、移動方向Ｂに沿って延在する。付随する放射線源４が、この移動方向Ｂに沿って当該収容部２２内に挿入可能である。このため、この実施の形態では、ほぼ中空円筒状のケース４０が、放射線源４に施されている（図２Ｂ参照）。その結果、放射線源４が、収容部２２によって画定された収容空間２３内に配置され得且つ収容部２２の（この実施の形態では当該シリンダ軸線に一致する）延在方向に沿って、すなわち移動方向Ｂに沿って移動可能である。したがって、この移動方向Ｂは、キャリア１に対する放射線源４の可能な移動用の調整進路を画定する。一般に、この調整進路は、（少なくともその一部が）直進する進路を有してもよいし、曲げられた進路を有してもよい。
【００３０】
図２Ａ及び２Ｂの概観によれば、ＬＥＤとしての放射線源４が、キャリア１の収容部２２内にこの実施の形態では中空円筒状の収容部２２の長手軸線に沿って延在する移動方向Ｂに沿って可動式に設置されている結果、どのくらいの深さで、当該放射線源４が、収容部２２又は収容空間２３内に挿入されているかに応じて、放射線源４が、収容部２２又はこの収容部２２によって形成された収容空間２３内の移動方向Ｂに沿って見て異なる位置に配置可能である。
【００３１】
したがって、収容部２２は、収容空間２３内への放射線源４の挿入時と収容空間２３内の放射線源４の移動（位置ずれ）時とに当該放射線源４を誘導して、この放射線源４を移動方向Ｂに沿って収容空間２３内の所定の位置に配置するための誘導装置を形成する。この実施の形態では、収容部２２が、スリット付きで形成されている。その結果、複数のスリットによって分離された複数の部分領域（爪）が形成されている。これらの部分領域（爪）が、放射線源４の嵌め込み時に半径方向のプレストレスを及ぼし、放射線源４が、半径方向に、すなわち移動方向Ｂに対して垂直方向に（可能な限り遊びなしに）締め付けられて位置決めされる。
【００３２】
例えばフィルム状の被覆部としてのランドパターン３が、絶縁材料、特にキャリア１の、合成樹脂から成る本体２からこのキャリア１に対して形成される上述したＭＩＤ技術によって、キャリア１に対する放射線源４の電気接触が得られる。この実施の形態では、これらのランドパターン３が、一方では結合領域３２を形成する。キャリア１と放射線源４とから構成される走査組立品が、これらの結合領域３２を通じて回路基板Ｐのランドパターンに電気接触可能である。さらに、キャリア側のランドパターン３が、放射線源４に電気接触するための接続領域３４，３６を形成する。
【００３３】
図１Ａ及び１Ｂの実施の形態では、接続領域３４，３６を形成するランドパターンが、収容部２２の両側に延在するキャリア１の突出部２４，２６上で延在する、つまり移動方向Ｂに沿って延在する。放射線源４が、この移動方向Ｂに沿って収容部２２内に挿入可能であり且つ収容空間２３内で摺動可能である。
【００３４】
キャリア１のランドパターン３に電気接触するため、特に当該ランドパターン３のために設けられている接続領域３４，３６に電気接触するため、放射線源４が、接触要素として働く接続要素４４，４６を有する。この実施の形態では、これらの接続要素４４，４６が、放射線源４のケース４０の背面４２から、すなわち放射線源４の、収容部２２内への放射線源４の規定通りの挿入時に収容空間２３に面さない側の面４２から突出している。
【００３５】
これらの接続要素４４，４６は、（棒状の）接続ピンとして形成されている。これらの接続要素４４，４６が曲げられているか又は反らされている結果、これらの接続要素４４，４６の一部４４ａ，４６ｂが、ランドパターン３の接続領域３４，３６と交差し、このときにこれらの接続領域３４，３６上に当接する。これによって、ランドパターン３の接続領域３４，３６と放射線源４の接続要素４４，４６とが、導通部分を形成する、この実施の形態では具体的には長手方向の導通部分を形成する。この導通部分が、ランドパターン３の接続領域３４，３６上での接続要素４４，４６の摺動を可能にする一方で、これらの接続要素４４，４６が、これらの接続領域３４，３６に持続して電気接触している。
【００３６】
したがって、収容部２２又は収用空間２３内の放射線源４の位置の調整時に、この放射線源とキャリア１のランドパターン３との間の電気接触が維持され得、さらに、付随する回路基板Ｐ上の電気回路との電気接触も維持され得る。
【００３７】
キャリア１の収容部２２内の放射線源４を移動又は摺動させることによって、例えば、放射線源４から稼働中に放射された光を平行化（コリメート）するために使用される付随するレンズ装置（コンデンサーレンズ）から放射線源４までの決定された距離のような、走査組立品の別の機能要素に対する決定された所定の距離が得られるように、収容空間２３内の放射線源４の位置が調整され得る。当該調整に加えて又はこの代わりに、例えば、付随する走査板から放射線源４までの決定された距離も調整され得る。この場合、接続要素４４，４６とキャリア側のランドパターン３の（移動方向Ｂに沿って延在する）接続領域３４，３６とを通じた放射線源４の当該電気接触は、電気エネルギーを放射線源４に供給可能にするために、希望した電気接触が放射線源４の選択されたあらゆる位置で存在することを保証する。
【００３８】
放射線源４を収容部２２内の希望した位置に固定するため、一方では、例えば、はんだ付け、特にレーザーはんだ付け又は（導電性の接着剤を用いた）接着によって、電気接続要素４４，４６が、ランドパターン３又はこれらのランドパターン３の接続領域３４，３６に対して固定される。基本的には、ランドパターン３の接続領域３４，３６に対する接続要素４４，４６の可能な限り凹凸のない又は僅かな凹凸しかない固定を可能にする任意の結合方法が、当該固定のために適している。
【００３９】
これに加えて又はこの代わりに、放射線源のケース４０が、収容部２２の側壁に対して固定されることによっても、この放射線源が、この収容部２２内に固定され得る。このため、凹部としての固定領域２２ａ，２２ｂが、収容部２２の側壁に設けられている。この実施の形態では、これらの固定領域２２ａ，２２ｂの縁部が、金属材料で被覆されている。ここでも、様々な結合方法が使用できる。好ましくは、同様に、例えばはんだ付け（レーザーはんだ付け）又は接着及びその他の材料結合される結合方法のような、可能な限り凹凸の生じない又は小さい凹凸しか生じない結合方法が使用できる。
【００４０】
図３は、図２Ａのキャリア２の、電気絶縁性の本体２を有する別形態を示す。同様に、例えばフィルム状の積層としてのランドパターン３が、当該本体２上に形成されている。これらのランドパターン３が、一方ではキャリア１を回路基板に電気接続させるための結合領域３２を形成し、キャリア１の収容部２２の収容空間２３内に規定通りに配置されている放射線源に電気接触させるための接続領域３４，３６をさらに形成する。
【００４１】
図３の実施の形態では、キャリア１の収容部２２が、同様に、収容部２２の軸線に一致する移動方向Ｂに沿って延在する。放射線源が、当該軸線に沿って収容部２２内に規定通りに挿入可能であり且つ収容空間２３内で移動（摺動）可能である。
【００４２】
図３の実施の形態では、収容部２２の（例えば、移動方向Ｂに対してほぼ垂直方向にある）横断面が、丸くされた角を有する長方形に形成されている。この実施の形態では、この収容部２２が、同様に、本体２のキャリア領域２０から突出している。その結果、この収容部２２が、移動方向Ｂに沿って延在する。
【００４３】
図２Ａの実施の形態に対するさらなる違いは、規定通りの収容部２２内に配置された放射線源を電気接触可能とするためのキャリア側のランドパターン３の接続領域３４，３６が、収容部２２の前方に移動方向Ｂに沿って収容空間２３の仮想の延長部分内により精確に配置されている点にある。この場合、具体的には、ランドパターン３の接続領域３４，３６が、移動方向Ｂに沿って収容部２２の収容空間２３の前方に設置されている突出部２４，２６に設けられている。
【００４４】
放射線源４に電気接触するため（図２Ｂ参照）、（棒状の）接続ピンとしての接続要素が、放射線源４のケース４０の背面４２からほぼ直線的に突出している。その結果、図２にしたがって放射線源４をキャリア１の収容部２２内に規定通りに配置したときに、これらの接続要素が、ランドパターン３の接続要素３４，３６に当接する。
【００４５】
図２Ａ及び２Ｂの配置と異なり、図３の実施の形態では、第一には、接続領域３４，３６と放射線源４に付設された接続領域４４，４６とによって形成された導通部分の延在方向が、（図１Ａ及び１Ｂの場合のように）接続領域３４，３６の延在部分によって提供されているのではなくて、むしろ移動方向Ｂに沿って放射線源４から突出している接続要素（接続ピン）の延在部分によって提供される。
【００４６】
この実施の形態の場合、収容部２２の一部２８が、（収容部２２の隣接する複数の領域の複数のスリットによって区切られた）半径方向に弾力のある部分領域（爪／突起）を形成する。この部分領域が、放射線源４に半径方向の押圧力を及ぼし、収容部２２内の移動方向Ｂの導通中にこの放射線源４を可能な限り遊びなしにこの移動方向Ｂに対して垂直方向に位置決めして保持する。
【００４７】
図４Ａ〜４Ｃには、ランドパターン３を有するキャリア１（図４Ａ）のもう１つの実施の形態が示されている。このキャリア１の電気絶縁性の本体２が、収容部２を画定する。放射線源４が、この収容部２内に配置されている（図４Ｂ）。この場合、キャリア１とランドパターン３と放射線源４とから構成される組立品が、回路基板Ｐ上に配置されている結果、電気回路又は電子回路内に組み込まれている（図４Ｃ）。
【００４８】
図４Ａ及び４Ｂによれば、キャリア１の本体２が、キャリア領域２０を有する。収容部２２が、移動方向Ｂに沿ってこのキャリア領域２０から突出している。当該図４Ａ及び４Ｂの実施の形態では、収容部２２の横断面が、丸くされた角を有する多角形である。同様に、この収容部２２が、収容空間２３を画定する。放射線源４が、この収容空間２３内に配置可能である。この放射線源４を移動方向Ｂに沿って収容部２２又は収容空間２３内に挿入することができる。
【００４９】
放射線源４を回路基板Ｐに電気接触させるため、及び、キャリア１を回路基板Ｐに電気接続させるため、ランドパターン３としての導体要素が、本体２上に設けられている。これらのランドパターン３が、一方では回路基板側のランドパターンに接続するための結合領域３２を形成し、他方では放射線源４に電気接触するための接続領域３４，３６を形成する。
【００５０】
一方の接続領域３４が、収容部２２の壁領域２４に沿ってキャリア側のランドパターン３の接続領域３４，３６から延在する。他方の接続領域３６が、収容部２２に並んで延在する、つまり移動方向Ｂに沿って延在する突出部２６の表面に沿って延在する。
【００５１】
したがって、放射線源４をキャリア側のランドパターン３の移動方向Ｂに延在した両接続領域３４，３６に電気接触させるため、一方では放射線源４のケース４０に直に接している結合要素４４′が使用され、他方では放射線源４から突出している棒状の接続ピンとしての接続要素４６が使用される。放射線源４を収容空間２３内に規定通りに配置したときに、当該結合要素４４′が、本体２の収容部２２内に組み込まれたランドパターン３の接続領域３４に電気接触している。当該接続要素４６が曲げられている結果、この接続要素４６の一部４６ａが、ランドパターン３の付随する接続領域３６に沿って延在する。
【００５２】
放射線源４側からキャリア側のランドパターン３の接触している接続領域３４，３６までの移動方向Ｂに沿った当該延在によって（移動方向Ｂに沿って、放射線源４を収容部２２内に挿入可能であり、収容空間２３内に位置決め可能である）、放射線源４とキャリア側のランドパターン３との間の電気接触が、この放射線源４の所定の位置決めを目的とする収容部２２内のこの放射線源４の移動又は摺動中に持続される。すなわち、同様に、放射線源側の結合要素４４′及び接続要素４６並びにキャリア側のランドパターン３の接続要素３４，３６が、長手方向の導通部分を形成する。
【００５３】
図２Ａ及び２Ｂの実施の形態の場合のように、図３及び図４Ａ〜４Ｃの場合でも、放射線源４の結合要素４４′及び接続要素４６が、例えば、はんだ付け、特にレーザーはんだ付け、接着又はその他の材料結合される結合方法によってキャリア側のランドパターン３の付随する接続要素３４，３６に対して固定されることによって、この放射線源４が、予め設定された位置に固定される。
【符号の説明】
【００５４】
１      キャリア
２      本体
３      ランドパターン、電気導体要素
４      放射線源
５      スケール
６      レンズ
７      検出装置
８      電線
９      ハウジング
１０    走査ヘッド
１１    走査組立品
２０    キャリア領域
２２    収容部
２２ａ  固定領域
２２ｂ  固定領域
２３    収容空間
２４    突出部、壁領域
２６    突出部
２８    収容部の一部
３２    結合領域
３４    接続領域、ランドパターン
３６    接続領域、ランドパターン
４０    ケース
４２    背面
４４    接続要素
４４ａ  接続要素の一部
４４′  結合要素
４６    接続要素
４６ａ  接続要素の一部
５０    測定目盛、目盛本体
Ｂ      移動方向、調整軌道
Ｐ      回路基板
Ｌ      光ビーム
Ｘ      測定方向
【図１Ａ】
0005992271.tif 000002
【図１Ｂ】
0005992271.tif 000003
【図２Ａ】
0005992271.tif 000004
【図２Ｂ】
0005992271.tif 000005
【図３】
0005992271.tif 000006
【図４Ａ】
0005992271.tif 000007
【図４Ｂ】
0005992271.tif 000008
【図４Ｃ】
0005992271.tif 000009